(57)【特許請求の範囲】
【請求項１】
背後にロータンク取り付け穴が設けられた洋風便器本体と、該ロータンク取り付け穴に挿通されるボルトを有し、止水栓を介して供給される洗浄水を該洋風便器本体に供給可能なロータンクとを備え、該ロータンク取り付け穴に該ボルトを挿通し、締結用ナットを螺合させて該洋風便器本体に該ロータンクを固定する洋風水洗式便器において、
前記止水栓は脱着可能なハンドルを有し、前記締結用ナットは該ハンドルによって回動可能に構成されていることを特徴とする洋風水洗式便器。
【請求項２】
ハンドルは内スプラインを有し、締結用ナットは該内スプラインと噛合可能な外スプラインを有することを特徴とする請求項１記載の洋風水洗式便器。
【請求項３】
締結用ナットは、ボルトが螺合される側の逆の端部に外スプラインを有し、該外スプラインより該ボルトが螺合される側には径方向に突出して手動による回動を容易に行なわしめる凸部が設けられていることを特徴とする請求項２記載の洋風水洗式便器。
【請求項４】
ロータンクは洋風便器本体の背後に設けられたキャビネット内に収納されることを特徴とする請求項１、２又は３記載の洋風水洗式便器。
【発明の詳細な説明】
【０００１】
【発明の属する技術分野】
本発明は洋風水洗式便器に関する。
【０００２】
【従来の技術】
従来、陶磁器製の洋風便器本体と、この洋風便器本体の背後に固定されるロータンクとを備えた洋風水洗式便器が知られている。この洋風水洗式便器では、洋風便器本体の背後に一対のロータンク取り付け穴が設けられており、ロータンクには各ロータンク取り付け穴に挿通される一対のボルトが設けられている。
【０００３】
この洋風水洗式便器をトイレ室に施工する際、まず洋風便器本体を床面に置き、その洋風便器本体の両ロータンク取り付け穴にロータンクのボルトを挿通する。この後、それらボルトに締結用ナットを螺合させ、洋風便器本体にロータンクを固定する。
【０００４】
こうして施工した洋風水洗式便器では、水道管と接続された止水栓を介して洗浄水がロータンク内に供給され、ロータンク内の洗浄水が洋風便器本体の洗浄等に供されることとなる。
【０００５】
【発明が解決しようとする課題】
しかし、上記従来の洋風水洗式便器では、特別な止水栓を採用しておらず、かつ締結用ナットが汎用の六角ナットであったため、洋風便器本体にロータンクを固定する際、スパナやモンキレンチ等の長尺状の工具を用いなければならない。このため、それらの工具を用いて締結用ナットを掛け回す分の作業スペースが洋風便器本体回りに必要となる。
【０００６】
このため、この洋風水洗式便器を施工する際、比較的広い場所において、予め洋風便器本体とロータンクとを一体にした後でそれらを床面に固定するのではなく、予め床面に洋風便器本体を固定した後でその洋風便器本体にロータンクを固定しようとすると、洋風便器本体自体が邪魔になり、洋風便器本体にロータンクを固定する作業が困難になってしまう。
【０００７】
また、こうして洋風水洗式便器を施工したとしても、メンテナンス時にロータンクを洋風便器本体との間で脱着する必要が生じることもある。この場合、それを行うとする作業者は、狭いトイレ室内において、無理な体勢のまま、長尺状の工具により締結用ナットをボルトから螺脱させたり、締結用ナットをボルトに螺合させたりしなければならない。このため、やはりその作業が困難となる。
【０００８】
特に、ロータンクが洋風便器本体の背後に設けられるキャビネット内に収納されるものである場合、工具を掛け回す分の作業スペースが極めて限られることとなり、上記両不具合が顕著になる。
【０００９】
また、この洋風水洗式便器では、こうして洋風便器本体とロータンクとを固定したり、洋風便器本体とロータンクとを脱着したりする際、その工具をわざわざ用意しなければならず、面倒である。
【００１０】
本発明は、上記従来の実情に鑑みてなされたものであって、工具を用意する必要なく、洋風便器本体とロータンクとの固定作業や脱着作業を行うことが可能な洋風水洗式便器を提供することを解決すべき課題としている。
【００１１】
【課題を解決するための手段】
本発明の洋風水洗式便器は、背後にロータンク取り付け穴が設けられた洋風便器本体と、該ロータンク取り付け穴に挿通されるボルトを有し、止水栓を介して供給される洗浄水を該洋風便器本体に供給可能なロータンクとを備え、該ロータンク取り付け穴に該ボルトを挿通し、締結用ナットを螺合させて該洋風便器本体に該ロータンクを固定する洋風水洗式便器において、
【００１２】
前記止水栓は脱着可能なハンドルを有し、前記締結用ナットは該ハンドルによって回動可能に構成されていることを特徴とする。
【００１３】
本発明の洋風水洗式便器では、止水栓が脱着可能なハンドルを有しており、締結用ナットはそのハンドルによって回動可能に構成されている。このため、洋風便器本体にロータンクを固定する際、このハンドルを用いて締結用ナットをボルトに螺合させることができる。このため、長尺状の工具が不要となり、それらの工具を用いて締結用ナットを掛け回す分の作業スペースが洋風便器本体回りに不要となる。
【００１４】
このため、この洋風水洗式便器を施工する際、予め床面に洋風便器本体を固定した後でその洋風便器本体にロータンクを固定しようとする場合であっても、洋風便器本体自体がそれほど邪魔になることはなく、洋風便器本体にロータンクを固定する作業が容易となる。
【００１５】
また、メンテナンス時にロータンクを洋風便器本体との間で脱着する場合において、それを行なおうとする作業者は、狭いトイレ室内であっても、比較的楽な体勢で、ハンドルにより締結用ナットをボルトから螺脱させたり、締結用ナットをボルトに螺合させたりすることができ、作業が容易となる。
【００１６】
さらに、こうして洋風便器本体とロータンクとを固定したり、洋風便器本体とロータンクとを脱着したりする際、工具をわざわざ用意する必要はなく、面倒とならない。
【００１７】
したがって、本発明の洋風水洗式便器では、工具を用意する必要なく、洋風便器本体とロータンクとの固定作業や脱着作業を容易に行うことが可能となる。このため、この洋風水洗式便器は優れた作業性を発揮することができる。
【００１８】
本発明の洋風水洗式便器では、締結用ナットが汎用の六角ナットである場合、止水栓から外されるハンドルがその六角ナットを嵌合させる六角形の凹部を有することもできる。しかし、止水栓のハンドルが内スプラインを有し、締結用ナットが内スプラインと噛合可能な外スプラインを有することが好ましい。こうであれば、ハンドルを締結用ナットに噛合させる作業は容易である。また、ハンドルを用いて締結用ナットを掛け回す場合、トルクが締結用ナットに伝達されやすい。このため、洋風便器本体とロータンクとを固定したり、洋風便器本体とロータンクとを脱着したりする作業を容易かつ迅速に行うことができる。
【００１９】
この場合、ハンドルの内スプラインと噛合する外スプラインが止水栓のスピンドルに形成されているのであれば、ハンドルの内スプラインを共通化することができ、止水栓及び洋風水洗式便器のコストダウンを実現できる。また、この止水栓がハンドルを上方からスピンドルに挿入しているだけのものであれば、ハンドルを上方に持ち上げるだけでハンドルを止水栓から外すことができ、迅速に締結用ナットの螺合作業にとりかかることができる。
【００２０】
また、本発明の洋風水洗式便器では、締結用ナットは、ボルトが螺合される側の逆の端部に外スプラインを有し、外スプラインよりボルトが螺合される側には径方向に突出して手動による回動を容易に行なわしめる凸部が設けられていることが好ましい。こうであれば、洋風便器本体とロータンクとを固定したり、洋風便器本体とロータンクとを脱着したりする作業を行う場合において、当初は手動によって締結用ナットをボルトに迅速に螺合することができ、止水栓のハンドルを当初から外す必要性を無くすことができる。なお、手動で締結用ナットをボルトに螺合した後、強固に締結用ナットをボルトに螺合しようとする場合は、止水栓のハンドルを外し、そのハンドルで締結用ナットをボルトに螺合させる。このため、止水栓のハンドルを常に用いて作業を行う場合よりも、容易かつ迅速に作業を行うことができる。
【００２１】
本発明の洋風水洗式便器は、ロータンクが洋風便器本体の背後に設けられたキャビネット内に収納されるものである場合に効果が大きい。キャビネット内にロータンクが収納されるのであれば、工具を掛け回す分の作業スペースが極めて限られることとなり、本発明の必要性が高いからである。
【００２２】
【発明の実施の形態】
以下本発明を具体化した実施形態を図面を参照しつつ説明する。
【００２３】
実施形態の洋風水洗式便器は、図１に示すように、床面に固定された洋風便器本体１と、洋風便器本体１の背後及び両側に設けられたキャビネット２と、キャビネット２内に設けられたロータンク３とを備えている。
【００２４】
洋風便器本体１の背後には、図２に示すように、一対のロータンク取り付け穴１ａが設けられている。図３に示すように、ロータンク３は、外郭を構成するロータンク本体３ａと、ロータンク本体３ａの下端に固定されたポリプロピレン製のベースプレート４とを有している。ベースプレート４には、図４に示すように、軸部を下方に延在する一対のボルト５が挿入され、各ボルト５は固定ナット６によってベースプレート４に固定されている。
【００２５】
各ボルト５のベースプレート４から突出した軸部は洋風便器本体１のロータンク取り付け穴１ａに挿通されており、各軸部には平座金７ａ及びスプリング座金７ｂを挟んで締結用ナット８が螺合されている。こうして、図１に示すように、ロータンク３と洋風便器本体１とは一体化されている。
【００２６】
各締結用ナット８は真鍮製であり、図５に示すように、一端部の内部にはボルト５と噛合する雌ねじ８ｄが形成されており、他端部には外スプライン８ａが形成されている。各外スプライン８ａは、後述する止水栓１０のハンドル１１に設けられた内スプライン１１ａと噛合可能とされている。また、各締結用ナット８の外スプライン８ａより一端部側には、径方向に貫通する孔８ｂが設けられており、孔８ｂにはステンレス製の波形スプリングピン８ｃが嵌合し、これは凸部として径外に突出している。
【００２７】
また、図１に示すように、水道管と接続されたフレキシブル給水管９が床面の上方に延在されており、このフレキシブル給水管９は、図６に示すように、止水栓１０を介してロータンク３に接合され、これによりロータンク３内には水道管内の水が給水可能とされている。
【００２８】
止水栓１０のハンドル１１には、図７に示すように、内スプライン１１ａが設けられており、止水栓１０のスピンドル１２には、図８に示すように、内スプライン１１ａと噛合する外スプライン１２ａが設けられている。ハンドル１１は、上方からスピンドル１２に挿入されており、固定されることなく容易に脱着可能とされている。
【００２９】
上記のように構成された実施形態の洋風水洗式便器をトイレ室に施工する際、予め洋風便器本体１とロータンク３とを一体にした後でそれらを床面に固定したり、予め床面に洋風便器本体１を固定した後でその洋風便器本体１にロータンク３を固定したりする。この場合、まず、洋風便器本体１のロータンク取り付け穴１ａにロータンク３のボルト５の軸部を挿通する。そして、各軸部に平座金７ａ及びスプリング座金７ｂを介し、締結用ナット８を螺合する。また、洋風便器本体１とロータンク３とを外す場合はこの逆の作業を行う。
【００３０】
この際、締結用ナット８を螺合しようとする作業者は、締結用ナット８の波形スプリングピン８ｃが径方向に突出しているため、当初は手動によって締結用ナット８をボルト５に迅速に螺合することができる。このため、止水栓１０のハンドル１１を常に用いて作業を行う場合よりも、容易かつ迅速に作業を行うことができる。
【００３１】
そして、強固に締結用ナット８をボルト５に螺合しようとする場合、作業者は、図６に示す状態において、止水栓１０のハンドル１１を上方に持ち上げるだけで容易にそのハンドル１１を外す。そして、図９に示すように、そのハンドル１１の内スプライン１１ａを締結用ナット８の外スプライン８ａに嵌合し、ハンドル１１を回す。これにより大きなトルクで締結用ナット８をボルト５に螺合させることができる。また、締結用ナット８をボルト５から螺脱しようとする場合も同様である。こうして、これらの作業中、長尺状の工具が不要となり、それらの工具を用いて締結用ナット８を掛け回す分の作業スペースが洋風便器本体１回りに不要となる。
【００３２】
このため、この洋風水洗式便器を施工する際、洋風便器本体１自体がそれほど邪魔になることはなく、洋風便器本体１にロータンク３を固定する作業が容易となる。
【００３３】
また、メンテナンス時にロータンク３を洋風便器本体１との間で脱着する場合において、それを行うとする作業者は、狭いトイレ室内であっても、比較的楽な体勢でその作業を容易に行なうことができる。
【００３４】
さらに、こうして洋風便器本体１とロータンク３とを固定したり、洋風便器本体１とロータンク３とを脱着したりする際、工具をわざわざ用意する必要はなく、面倒とならない。
【００３５】
したがって、この洋風水洗式便器では、ロータンク３がキャビネット２内に収納されるものであっても、工具を用意する必要なく、洋風便器本体１とロータンク３との固定作業や脱着作業を容易に行うことが可能となる。このため、この洋風水洗式便器１は優れた作業性を発揮することができる。
【００３６】
また、この洋風水洗式便器では、ハンドル１１の内スプライン１１ａと噛合する外スプライン１２ａが止水栓１０のスピンドル１２に形成されているため、ハンドル１１の内スプライン１１ａを共通化することができ、止水栓１０及び洋風水洗式便器のコストダウンを実現できる。
【００３７】
なお、本実施形態の洋風水洗式便器は、図１０に示すように、キャビネット２の上部にダボ２ａを設け、フレキシブル給水管９にはゴムリング９ａを取り付けておくことを採用することが好ましい。こうであれば、この洋風水洗式便器をトイレ室内に施工する際、ゴムリング９ａをダボ２ａに引っ掛けることにより、フレキシブル給水管９を係留させておくことができる。このため、施工時において洋風便器本体１やロータンク３を据え置く際、フレキシブル給水管９が床面に置かれることはなく、施工の邪魔となることはない。
【００３８】
また、この際、フレキシブル給水管９の途中に両面テープ９ｂを貼り付けることも好ましい。こうであれば、フレキシブル給水管９を施工の邪魔とならないように壁面等に確実に仮止めすることができる。
【図面の簡単な説明】
【図１】実施形態の洋風水洗式便器の正面図である。
【図２】実施形態の洋風水洗式便器に係る洋風便器本体の平面図である。
【図３】実施形態の洋風水洗式便器に係るロータンクの正面図である。
【図４】実施形態の洋風水洗式便器の要部拡大断面図である。
【図５】実施形態の洋風水洗式便器に係る締結用ナットの断面図である。
【図６】実施形態の洋風水洗式便器の部分斜視図である。
【図７】実施形態の洋風水洗式便器に係る止水栓の斜視図である。
【図８】実施形態の洋風水洗式便器に係り、ハンドルを外した止水栓の斜視図である。
【図９】実施形態の洋風水洗式便器に係り、ハンドルを用いて締結用ナットをボルトに螺合する場合の斜視図である。
【図１０】実施形態の洋風水洗式便器の施工時におけるフレキシブル給水管とキャビネットとの側面図である。
【符号の説明】
１ａ…ロータンク取り付け穴
１…洋風便器本体
５…ボルト
１０…止水栓
１１…ハンドル
１１ａ…内スプライン
３…ロータンク
８…締結用ナット
８ａ…外スプライン
８ｃ…凸部（波形スプリングピン）
２…キャビネット
【図１】
0003772101.tif 000002
【図２】
0003772101.tif 000003
【図３】
0003772101.tif 000004
【図４】
0003772101.tif 000005
【図５】
0003772101.tif 000006
【図６】
0003772101.tif 000007
【図７】
0003772101.tif 000008
【図８】
0003772101.tif 000009
【図９】
0003772101.tif 000010
【図１０】
0003772101.tif 000011